(57)【要約】  【課題】少ない力でも重量のある障子を簡単に開操作できるようにアシスト機能を備えるとともに、補助錠機能を備えた障子開閉用ハンドルを提供する。  【解決手段】障子開閉用ハンドル１Ａは、引戸障子の窓枠側縦框に固定される台座２と、この台座２に取り付けられるとともに、所定の角度範囲で揺動可能に軸支されたレバーハンドル３と、前記レバーハンドル３の軸部３ａに固定され、前記引戸障子の開操作に伴う前記レバーハンドル３の揺動動作によって窓枠側に向かって突出するとともに、窓枠を蹴り出す反力によって障子の開き動作をアシストする蹴り出し部材４と、この蹴り出し部材４を反突出側回転方向に向けて付勢するバネ部材５とにより構成され、かつ前記レバーハンドル３に回動可能な施錠フック片６を設けるとともに、窓枠側に前記施錠フック片６が係脱自在とされる受け片８を固定することにより補助錠とする。【選択図】図１
2005061000.tif 000002
【特許請求の範囲】
【請求項１】
引戸障子の窓枠側縦框又は上げ下げ障子の下框に固定される台座と、この台座に取り付けられるとともに、所定の角度範囲で揺動可能に軸支されたレバーハンドルと、前記レバーハンドルの軸部に固定され、前記引戸障子の開操作に伴う前記レバーハンドルの揺動動作によって窓枠側に向かって突出するとともに、窓枠を蹴り出す反力によって障子の開き動作をアシストする蹴り出し部材と、この蹴り出し部材を反突出側回転方向に向けて付勢するバネ部材とからなることを特徴とする障子開閉用ハンドル。
【請求項２】
前記レバーハンドルに回動可能な施錠フック片を設けるとともに、窓枠側に前記施錠フック片が係脱自在とされる受け片を固定することにより補助錠としてある請求項１記載の障子開閉用ハンドル。
【請求項３】
窓枠側に回動可能な施錠フック片を設けるとともに、前記レバーハンドルに前記施錠フック片が係脱自在とされる受け係合部を形成することにより補助錠としてある請求項１記載の障子開閉用ハンドル。
【請求項４】
前記台座部に、上下方向にスライド可能とされ、かつ框の側縁よりも外部に突出した施錠フック部を有する施錠板を配設するとともに、窓枠側に前記施錠板のスライド操作によって前記施錠フック部が係脱自在とされる施錠用孔部を設けることにより補助錠としてある請求項１記載の障子開閉用ハンドル。
【請求項５】
前記台座部に、前記引戸障子又は上げ下げ障子の開操作に伴う前記レバーハンドルの揺動動作によって揺動し、かつ框の側縁よりも外部に突出した施錠フック部を有する施錠板を配設するとともに、窓枠側に前記施錠板の揺動動作によって前記施錠フック部が係脱自在とされる施錠用孔部を設けることにより補助錠としてある請求項１記載の障子開閉用ハンドル。
【発明の詳細な説明】
【技術分野】
【０００１】
本発明は、引戸障子又は上げ下げ障子の開閉操作に当たり、開操作のアシスト機能を備えるとともに、補助錠機能を備えた障子開閉用ハンドルに関する。
【背景技術】
【０００２】
一般家屋やビル等の窓として、引戸障子式窓が多く採用されている。この引戸障子の場合には、回動自在に取り付けられたクレセントを備え室内障子側の召合せ框部に固定される施錠側金具と、前記クレセントが係合するフック部を備え室外障子側の召合せ框部に固定されるクレセント受け金具とからなるクレセント錠が施錠装置として多く用いられている。
【０００３】
一方、一般家屋やビル等の窓では防犯性を向上させるために、前記引戸の召合せ框に設けられるクレセント錠とは別に、補助錠（以下、サブロックともいう。）を付加して２重ロックとしたものが増加する傾向にある。このサブロックとして、例えば、図１０に示されるように、ケース５０内に支軸５１によりシーソー式に出没自在に収容されたストッパー５２を設けた構造のものが多く使用されている。
【発明の開示】
【発明が解決しようとする課題】
【０００４】
しかしながら、前記引戸障子式窓の開閉操作に当たり、通常一般的に使用されているサイズの窓の場合には、ある程度の力を加えるだけで簡単に開閉操作を行うことができるけれども、テラスやベランダ等への出入り部に設けられる大型窓や天井面までをガラス面としたような特大サイズの窓のように重量が嵩む障子の場合には、窓の閉状態から障子を開く際、大きな力を要し、開閉操作にかなりの労力を必要とするなどの問題があった。
【０００５】
また、防犯性向上のために、前述のように主施錠装置とは別に補助錠を別途設けることが行われているが、障子に設けられる開閉用ハンドルに補助錠としての機能を与えることができれば、３重のロック機構とすることができ、さらなる防犯効果が望めることになる。
【０００６】
そこで本発明の主たる課題は、引戸等の開閉操作に当たり、少ない力でも重量のある障子を簡単に開操作できるようにアシスト機能を備えた障子開閉用ハンドルを提供するとともに、この障子開閉用ハンドルに補助錠機能を与えることにある。
【課題を解決するための手段】
【０００７】
前記課題を解決するために請求項１に係る本発明として、引戸障子の窓枠側縦框又は上げ下げ障子の下框に固定される台座と、この台座に取り付けられるとともに、所定の角度範囲で揺動可能に軸支されたレバーハンドルと、前記レバーハンドルの軸部に固定され、前記引戸障子の開操作に伴う前記レバーハンドルの揺動動作によって窓枠側に向かって突出するとともに、窓枠を蹴り出す反力によって障子の開き動作をアシストする蹴り出し部材と、この蹴り出し部材を反突出側回転方向に向けて付勢するバネ部材とからなることを特徴とする障子開閉用ハンドルが提供される。
【０００８】
上記請求項１記載の本発明では、揺動可能とされるレバーハンドルの揺動動作によって窓枠側に向かって突出するとともに、窓枠を蹴り出す反力によって障子の開き動作をアシストする蹴り出し部材を設け、障子の開操作時に障子に初動を与えるようにした。周知のとおり、静摩擦係数は動摩擦係数よりも大きく、最初に初動を与えることができれば、摩擦係数は動摩擦係数となり、障子を少ない力で開操作できるようになる。
【０００９】
請求項２に係る本発明として、前記レバーハンドルに回動可能な施錠フック片を設けるとともに、窓枠側に前記施錠フック片が係脱自在とされる受け片を固定することにより補助錠としてある請求項１記載の障子開閉用ハンドルが提供される。
【００１０】
請求項３に係る本発明として、窓枠側に回動可能な施錠フック片を設けるとともに、前記レバーハンドルに前記施錠フック片が係脱自在とされる受け係合部を形成することにより補助錠としてある請求項１記載の障子開閉用ハンドルが提供される。
【００１１】
請求項４に係る本発明として、前記台座部に、上下方向にスライド可能とされ、かつ框の側縁よりも外部に突出した施錠フック部を有する施錠板を配設するとともに、窓枠側に前記施錠板のスライド操作によって前記施錠フック部が係脱自在とされる施錠用孔部を設けることにより補助錠としてある請求項１記載の障子開閉用ハンドルが提供される。
【００１２】
請求項５に係る本発明として、前記台座部に、前記引戸障子又は上げ下げ障子の開操作に伴う前記レバーハンドルの揺動動作によって揺動し、かつ框の側縁よりも外部に突出した施錠フック部を有する施錠板を配設するとともに、窓枠側に前記施錠板の揺動動作によって前記施錠フック部が係脱自在とされる施錠用孔部を設けることにより補助錠としてある請求項１記載の障子開閉用ハンドルが提供される。
【発明の効果】
【００１３】
以上詳説のとおり本発明によれば、引戸等の開閉操作に当たり、少ない力でも重量のある障子を簡単に開操作できるようになるとともに、この障子開閉用ハンドルに補助錠機能を与えるようにしたため、高い防犯効果が望めるようになる。
【発明を実施するための最良の形態】
【００１４】
以下、本発明の実施の形態について図面を参照しながら詳述する。
〔第１形態例〕
図１〜図３に基づいて第１形態例に係る障子開閉用ハンドル１Ａについて詳述する。
【００１５】
図３に示されるように、障子開閉用ハンドル１Ａは、引戸障子の窓枠側縦框に固定される台座２と、この台座２に取り付けられるとともに、所定の角度範囲で揺動可能に軸支されたレバーハンドル３と、前記レバーハンドル３の軸部３ａに固定され、前記引戸障子の開操作に伴う前記レバーハンドル３の揺動動作によって窓枠側に向かって突出するとともに、窓枠を蹴り出す反力によって障子の開き動作をアシストする蹴り出し部材４と、この蹴り出し部材４を反突出側回転方向に向けて付勢するバネ部材５とからなるものである。
【００１６】
以下、具体的に詳述すると、前記台座２は、内面側に前記蹴り出し部材４の収容凹部２ｃを有する直方体状の部材であり、上部および下部にそれぞれビス止め用通孔２ｂ、２ｂが形成されるとともに、略中央部にレバーハンドル３の軸部３ａが挿通される軸孔２ａが形成された部材である。
【００１７】
前記レバーハンドル３は、回転中心側の一端に軸部３ａを有する把手部材であり、先端側にはピン軸７により回動可能に支持されたＬ字形状の施錠フック片６が設けられている。
【００１８】
また、前記蹴り出し部材４は一端側、図示例では上端側に軸孔４ａが形成されるとともに、一端側隅部に段状の切欠き部４ｂが形成され、この切欠き部４ｂの鉛直壁面と台座２の収容凹部２ｃの奥面との間に配設されたバネ部材５によって、前記蹴り出し部材４は反突出側回転方向（収容凹部２ｃに収容される回転方向）に向けて付勢されるようになっている。
【００１９】
組立ては、前記レバーハンドルの軸部３ａを台座２の軸孔２ａに通し、台座２の収容凹部２ｃに配設される蹴り出し部材４の軸孔４ａに前記軸部３ａを挿通し、カシメ等の抜止め処理によってレバーハンドル３と蹴り出し部材４とが相互に連結される。また、障子への取付けに当たっては、図１に示されるように、前記レバーハンドル３の先端部に設けた施錠フック片６が係脱自在とされる受け片８が窓枠側に固定されるようになっている。
【００２０】
かかる障子開閉用ハンドル１Ａにおいては、障子の開操作にあたり、前記レバーハンドル３を掴み、障子の開方向に力を加えると、レバーハンドル３が揺動すると同時に、蹴り出し部材４が窓枠側に突出し、窓枠を蹴り出すことによって障子に初動を与えるため、障子を小さな力で簡単に開操作できるようになる。また、障子の閉鎖時に、前記レバーハンドル３の先端に設けた施錠フック片６を回動し、窓枠に固定した受け片８に係合させることにより施錠を図ることができる。
【００２１】
（変形例）
(1)上記第１形態例では、前記レバーハンドル３に回動可能な施錠フック片６を設けるとともに、窓枠側に前記施錠フック片６が係脱自在とされる受け片８を固定したが、この関係は逆であってもよい。すなわち、窓枠側に回動可能な施錠フック片６を設けるとともに、前記レバーハンドル３に前記施錠フック片６が係脱自在とされる受け係合部（図示せず）を形成するようにしてもよい。
【００２２】
〔第２形態例〕
次に、図４〜図６に基づいて第２形態例に係る障子開閉用ハンドル１Ｂについて詳述する。
【００２３】
障子開閉用ハンドル１Ｂ自体の基本構造は、引戸障子の窓枠側縦框に固定される台座２と、この台座２に取り付けられるとともに、所定の角度範囲で揺動可能に軸支されたレバーハンドル３と、前記レバーハンドル３の軸部３ａに固定され、前記引戸障子の開操作に伴う前記レバーハンドル３の揺動動作によって窓枠側に向かって突出するとともに、窓枠を蹴り出す反力によって障子の開き動作をアシストする蹴り出し部材４と、この蹴り出し部材４を反突出側回転方向に向けて付勢するバネ部材５とからなるもので、上記第１形態例と同様である。従って、基本構造については図面に同符号を付して説明は省略する。
【００２４】
本第２形態例では、補助錠の構造が異なっている。補助錠は、図６に示されるように、前記台座部２に、上下方向にスライド可能とされ、かつ縦框の側縁よりも外部に突出した施錠フック部１０Ａを有する施錠板１０を配設するとともに、窓枠側に前記施錠板１０のスライド操作によって前記施錠フック部１０Ａが係脱可能とされる施錠用孔部を設けるようにしたものである。
【００２５】
以下、具体的に詳述すると、前記施錠板１０は、本体板部１０Ｂと、縦框の側縁よりも外部に突出した施錠フック部１０Ａとからなる板材で、前記本体板部１０Ｂの上部にはレバーハンドル３の軸部３ａが挿通されるとともに、施錠板１０が上下方向にスライド可能なように縦方向に長い長孔１０ｂが形成され、下部側には後述のスライド操作部材１１と連結するための通孔１０ｃが形成された部材で、前記台座２の収容凹部２ｃ内であって、前記蹴り出し部材４の内側に配設されている。
【００２６】
一方、前記台座２の外面側に設けられるスライド操作部材１１は、裏面両側部に上下２段に亘り爪片１１ａ、１１ａ…が形成されるとともに、裏面中央部に連結軸１１ｂが形成され、かつ下部側には垂下するクリック片１１ｃが形成された部材である。前記台座２への配設部位には窓孔２ｄが形成されるとともに、前記収容凹部２ｃの面側であってかつ窓孔２ｄの下部には前記クリック片１１ｃが係合する受けクリック部１２が形成されている。
【００２７】
前記スライド操作部材１１の取付けは、前記クリック片１１ｃを窓孔２ｄ内に挿入しながら爪片１１ａ、１１ａ…を窓孔２ｄ内に圧入し、前記爪片１１ａ、１１ａ…を窓孔２ｄの裏面側縁部に係止させることにより抜け出ないように保持されるようになっている。前記クリック片１１ｃは先端部に突部１１ｄを有し、前記受けクリック部１２は前記突部１１ｄが係合する弧状凹部１２ａ、１２ａが上下２段に形成され、スライド操作部材１１が上下方向にスライドされ、その上側位置および下側位置にあるとき、前記クリック片１１ｃの突部１１ｄが受けクリック部１２の弧状凹部１２ａ、１２ａに夫々係合することにより位置決めされるようになっている。また、前記連結軸１１は前記施錠板１０の通孔１０ｃに挿通されカシメ等によって両者が連結されるようになっている。
【００２８】
他方、窓枠側に形成される施錠用孔部は、下面側が開口とされる窪み状の函体部１３ａを有するフック受け部材１３によって形成されるようになっている。
【００２９】
施錠に当たっては、図４に示されるように、障子を閉めた状態で前記スライド操作部材１１を下降させると前記施錠板１０が下降し、施錠フック部１０Ａが前記フック受け部材１３に施錠用孔部に係合し施錠が図られるようになる。解錠は前記スライド操作部材１１を上昇させ、フック受け部材１３との係合を解くことによってなされる。
【００３０】
〔第３形態例〕
次に、図７〜図９に基づいて第３形態例に係る障子開閉用ハンドル１Ｃについて詳述する。
【００３１】
障子開閉用ハンドル１Ｃ自体の基本構造は、引戸障子の窓枠側縦框に固定される台座２と、この台座２に取り付けられるとともに、所定の角度範囲で揺動可能に軸支されたレバーハンドル３と、前記レバーハンドル３の軸部３ａに固定され、前記引戸障子の開操作に伴う前記レバーハンドル３の揺動動作によって窓枠側に向かって突出するとともに、窓枠を蹴り出す反力によって障子の開き動作をアシストする蹴り出し部材４と、この蹴り出し部材４を反突出側回転方向に向けて付勢するバネ部材５とからなるもので、上記第１形態例と同様である。従って、基本構造については図面に同符号を付して説明は省略する。
【００３２】
本第３形態例では、補助錠の構造が異なっている。補助錠は、図９に示されるように、前記台座部２に、前記引戸障子の開操作に伴う前記レバーハンドル３の揺動動作によって揺動するとともに、縦框の側縁よりも外部に突出した施錠フック部１４Ａを有する施錠板１４を配設するとともに、窓枠側に前記施錠板１４の揺動動作によって前記施錠フック部１４Ａが係脱可能とされる施錠用孔部を設けるようにしたものである。
【００３３】
以下、具体的に詳述すると、前記施錠板１４は、本体板部１４Ｂと、框の側縁よりも外部に突出した施錠フック部１４Ａとからなる板材で、中央にはレバーハンドル３の軸部３ａが挿通される通孔１４ａが形成されるとともに、上部に捻りバネ１５の一端側を係止させるための折曲げ片部１４ｂが形成された部材で、図示例では台座２の外部に配設されるようになっている。また、レバーハンドル３の軸部３ａには、前記施錠板１４を覆うカバー材１６が一体的に設けられている。
【００３４】
組立ては、レバーハンドル３の軸部３ａを捻りバネ１５の巻回孔部に通すとともに、前記施錠板１４の通孔１４ａに軸部３ａを通したならば、前記軸部３ａを台座２の軸孔２ａに通し、さらに台座２の収容凹部２ｃに配設される蹴り出し部材４の軸孔４ａに前記軸部３ａを挿通し、カシメ等の抜止め処理によってレバーハンドル３と蹴り出し部材４とを相互に連結するようにする。なお、前記施錠板１４は前記捻りバネ１５によって常時施錠側方向に付勢されるが、前記折曲げ片部１４ｂがカバー材１６の突起部（図示せず）に衝合することにより、施錠フック部１４Ａが水平配向の状態で位置決めされるようになっている。
【００３５】
一方、窓枠側に形成される施錠用孔部は、下面側が開口とされる窪み状の函体部１３ａを有するフック受け部材１３によって形成されるようになっている。
【００３６】
施錠に当たっては、図７に示されるように、障子を閉めた状態で前記レバーハンドル３を掴み、障子の開方向に揺動させると、ある程度の揺動時に（Ａ角度）、前記施錠板１４の施錠フック部１４Ａが施錠孔部から外れ施錠が解かれるようになり、さらにレバーハンドル３を揺動させると、蹴り出し部材４が窓枠側に突出し、窓枠を蹴り出すことによって障子に初動を与え、障子を小さな力で簡単に開操作できるようになる。
【００３７】
前記補助錠の施錠は、障子の閉操作時に自動的に成されるようになっている。すなわち、前記捻りバネ１５によって施錠板１４は常時施錠側方向に付勢されており、障子を閉めると、前記施錠フック部１４Ａが前記フック受け部材１３の施錠用孔部の縁に当たった後、自動的にこの縁部を乗り越え、前記施錠フック部１４Ａが施錠用孔部に係合し施錠がなされるようになっている。
【００３８】
〔その他の形態例〕
(1)上記第１〜３形態例では、引戸障子を例に採り本発明に係る障子開閉用ハンドル１Ａ〜１Ｃについて詳述したが、上げ下げ障子に対して全く同様に適用することが可能である。
【図面の簡単な説明】
【００３９】
【図１】第１形態例に係る障子開閉用ハンドル１Ａの正面図である。
【図２】その横断面図（図１のII−II線矢視図）である。
【図３】前記障子開閉用ハンドル１Ａの分解斜視図である。
【図４】第２形態例に係る障子開閉用ハンドル１Ｂの正面図である。
【図５】その横断面図（図４のV−V線矢視図）である。
【図６】前記障子開閉用ハンドル１Ｂの分解斜視図である。
【図７】第３形態例に係る障子開閉用ハンドル１Ｃの正面図である。
【図８】その横断面図（図７のVIII−VIII線矢視図）である。
【図９】前記障子開閉用ハンドル１Ｃの分解斜視図である。
【図１０】従来のサブロック構造を示す図である。
【符号の説明】
【００４０】
１Ａ〜１Ｃ…障子開閉用ハンドル、２…台座、２ｃ…収容凹部、３…レバーハンドル、３ａ…軸部、４…蹴り出し部材、５…バネ部材、６…施錠フック片、８…受け片、１０…施錠板、１０Ａ…施錠フック部、１０Ｂ…本体板部、１１…スライド操作部材、１３…フック受け部材、１４…施錠板、１４Ａ…施錠フック部
【図１】
2005061000.tif 000003
【図２】
2005061000.tif 000004
【図３】
2005061000.tif 000005
【図４】
2005061000.tif 000006
【図５】
2005061000.tif 000007
【図６】
2005061000.tif 000008
【図７】
2005061000.tif 000009
【図８】
2005061000.tif 000010
【図９】
2005061000.tif 000011
【図１０】
2005061000.tif 000012